(57)【特許請求の範囲】
【請求項１】
回路基板の給電部と接触して給電を受ける給電端子を備えるモータであって、給電端子は、一端がモータの後端に取り付けてあり、モータ後端に沿って回路基板側に直線状に延びる第１部分と、第１部分に連続して回路基板側に湾曲状に突出する第２部分と、第２部分に連続してモータ前端側に湾曲状に突出するＵ字部をモータと回路基板の間に設けた第３部分と、第３部分に連続して回路基板側に突出する湾曲部と湾曲部の回路基板側の頂部に回路基板の給電部と接触する接地部とを有する第４部分とを備え、第２部分は第１部分よりも前側に位置し、回路基板の給電部と第４部分の接地部が圧接した際に、第２部分の湾曲の頂部と第４部分が圧接することを特徴とするモータ。
【請求項２】
回路基板の給電部と接触して給電を受ける給電端子を備えるモータであって、給電端子は、一端がモータの後端に取り付けてあり、モータ後端に沿って回路基板側に直線状に延びる第１部分と、第１部分に連続して回路基板側に湾曲状に突出する第２部分と、第２部分に連続してモータ前端側に湾曲状に突出するＵ字部をモータと回路基板の間に設けた第３部分と、第３部分に連続して回路基板側に突出する湾曲部と湾曲部の回路基板側の頂部に回路基板の給電部と接触する接地部とを有する第４部分とを備え、第２部分は第１部分よりも後ろ側に湾曲状に突出し且つ第３部分のＵ字部よりも回路基板側に位置し、回路基板の給電部と第４部分の接地部が圧接した際に、第２部分と第４部分の湾曲部が圧接することを特徴とする請求項１に記載のモータ。
【請求項３】
回転軸に、分銅を偏心固定させたことを特徴とする請求項１又は２に記載のモータ。
【請求項４】
請求項３に記載のモータを備えたことを特徴とする携帯電話。
【発明の詳細な説明】
【技術分野】
【０００１】
本発明は、回路基板の給電部と接触して給電を受ける給電端子を備えるモータ及び携帯電話に関する。
【背景技術】
【０００２】
特許文献１には、従来の給電端子を備えたモータが開示されている。図１２に示すように、従来の給電端子１５０は、取付け部１０３の一端１００がモータ端子に取り付けてあり、取付け部１０３の他端１０５からモータの後端面に沿って直線状に延びる第１部分１１０と、第１部分１１０に連続してモータ前端側に湾曲状に突出するＵ字部１２５をモータ１と回路基板３１の間に形成する第２部分と、第２部分に連続して回路基板３１側に突出する湾曲部と湾曲部の回路基板側の頂部に回路基板の給電部と接触する接地部１３５とを有する第３部分とを備えている。
【０００３】
【特許文献１】特許第３３４９１１８号公報
【発明の開示】
【発明が解決しようとする課題】
【０００４】
しかし、上述の特許文献１に記載の従来技術では、図１２に示すように、給電端子１５０の接地部１３５と回路基板３１の給電部３が圧接すると、給電端子１５０において、Ｕ字部１２５の曲率中心１３０には、第１部分の下端１１５を支点とする腕の長さＳの回路基板３１側に向かう回転モーメントが生ずるため、給電端子１５０は、Ｕ字部１２５が回路基板３１に接触するように変形する。回路基板には給電部以外に他の電極等も配置されるが、回路基板３１のショートを防止するために、回路基板３１の設計上、この接触を回避しなければならないという制約があった。また、第１部分の下端１１５とＵ字部１２５の折り返し点１３０に応力が集中し、給電端子１５０の弾性が劣化することにより、回路基板３１の給電部３と給電端子１５０の接地部１３５の接触圧力を高く維持することができないという問題があった。
【０００５】
本発明は、給電端子の接地部と回路基板の給電部が圧接する際の、給電端子が回路基板の外部給電部以外の箇所に接触するような変形を防止すること、及び給電端子の弾性の劣化を軽減することを目的とする。
【課題を解決するための手段】
【０００６】
前記課題を解決するために、請求項１に記載された発明は、回路基板の給電部と接触して給電を受ける給電端子を備えるモータであって、給電端子は、一端がモータの後端に取り付けてあり、モータ後端に沿って回路基板側に直線状に延びる第１部分と、第１部分に連続して回路基板側に湾曲状に突出する第２部分と、第２部分に連続してモータ前端側に湾曲状に突出するＵ字部をモータと回路基板の間に設けた第３部分と、第３部分に連続して回路基板側に突出する湾曲部と湾曲部の回路基板側の頂部に回路基板の給電部と接触する接地部とを有する第４部分とを備え、第２部分は第１部分よりも前側に位置し、回路基板の給電部と第４部分の接地部が圧接した際に、第２部分の湾曲の頂部と第４部分が圧接することを特徴とする。
【０００７】
【０００８】
請求項２に記載された発明は、回路基板の給電部と接触して給電を受ける給電端子を備えるモータであって、給電端子は、一端がモータの後端に取り付けてあり、モータ後端に沿って回路基板側に直線状に延びる第１部分と、第１部分に連続して回路基板側に湾曲状に突出する第２部分と、第２部分に連続してモータ前端側に湾曲状に突出するＵ字部をモータと回路基板の間に設けた第３部分と、第３部分に連続して回路基板側に突出する湾曲部と湾曲部の回路基板側の頂部に回路基板の給電部と接触する接地部とを有する第４部分とを備え、第２部分は第１部分よりも後ろ側に湾曲状に突出し且つ第３部分のＵ字部よりも回路基板側に位置し、回路基板の給電部と第４部分の接地部が圧接した際に、第２部分と第４部分の湾曲部が圧接することを特徴とする。
【０００９】
請求項３に記載された発明は、請求項１又は２に記載の発明において、回転軸に、分銅を偏心固定させたことを特徴とする。
【００１０】
請求項４に記載された発明は、請求項３に記載のモータを備えたことを特徴とする携帯電話の発明である。
【発明の効果】
【００１１】
請求項１に記載の発明によれば、図１（ａ）又は図２（ａ）に示すように、給電端子５の接地部２７と回路基板３１の給電部３が圧接した際に、第２部分１７の湾曲が開くように弾性変形し、第３部分２３のＵ字部２４は上部３３を樹脂台３５の下端３７に接しながらモータ１前端方向に移動する一方、第３部分２３のＵ字部２４の曲率中心３６を作用点とする回路基板３１に向かう回転モーメントは、第２部分１７の湾曲の頂点１８を支点とするものであり、従来の給電端子１５０と比べて小さいので、Ｕ字部２４が回路基板３１側に移動する距離は小さい。従って、給電端子５のＵ字部２４が回路基板３１と接触することがなく、回路基板３１のショート等を防ぐために、回路基板３１の給電部３周辺の設計上、特別な配慮をする必要がない。給電端子５の第２部分１７が湾曲しているので、給電端子５の接地部２７と回路基板３１の給電部３が圧接した際に、第２部分１７が弾性変形して、第１部分の下端１６と第３部分２３のＵ字部２４の折り返し部２０に集中する応力を分散し、給電端子５の弾性の劣化を軽減することができる。
【００１２】
図１（ｂ）又は図２（ｂ）に示すように、回路基板３１の給電部３と給電端子５の接地部２７が圧接した際に、第３部分２３のＵ字部２４の湾曲は閉じるように弾性変形し、また第２部分１７の湾曲の頂部１８と第４部分２５が圧接する。従って、第４部分２５は、第２部分１７から、接触部２８において、回路基板３１側に向けて、第２部分１７の湾曲が弾性により閉じようとする押圧力３０を受け、この押圧力３０と、第３部分２３のＵ字部２４の湾曲が弾性により開こうとする圧力との合成圧力で、給電端子５の接地部２７を回路基板３１の給電部３に圧接させることができ、接地部２７と給電部３の接触安定性を従来の給電端子１５０よりも高くすることが可能である。
【００１３】
請求項２に記載された発明によれば、図７（ｂ）又は図８（ｂ）に示すように、給電端子５の接地部２７と回路基板３１の給電部３が圧接した際に、給電端子５のＵ字部２４は第２部分１７の湾曲の頂点１８を支点として回転するが、回転前は湾曲の頂点よりもモータ本体（モータケース）７側に位置しているので、回路基板３１側へ向けて移動しても回路基板３１と接触することを防止でき、回路基板３１のショート等を防ぐために回路基板３１の給電部３周辺の設計上、特別な配慮をする必要がない。給電端子５の第２部分１７が湾曲しているので、給電端子５の接地部２７と回路基板３１の給電部３が圧接した際に、第２部分１７が弾性変形して、第１部分の下端１６と第３部分２３のＵ字部２４の折り返し部２０に集中する応力を分散し、給電端子５の弾性の劣化を軽減することができる。給電端子５の接地部２７と回路基板３１の給電部３が圧接すると、給電端子５は、第３部分２３のＵ字部２４の湾曲を閉じるように、且つ、第２部分１７の湾曲が第４部分２５の湾曲部２６を開くように圧接して、弾性変形する。従って、第４部分２５の湾曲部２６が弾性により閉じようとする押圧力４０と、Ｕ字部２４の湾曲が弾性により開くように作用する圧力４２との、合成圧力４４で接地部２７を給電部３に圧接させることができる。更に、接地部２７が押圧力４０により回路基板３１の給電部３に直接的に押圧されているので、接地部２７と給電部３の接触安定性を高めることができる。
【００１４】
請求項３に記載された発明によれば、請求項１又は２に記載の発明と同様の効果を奏すると共に、回転軸８に分銅９を偏心固定するモータ１自体が振動しても、回路基板３１の給電部３と給電端子５の接地部２７の接触安定性を高くすることができる。
【００１５】
請求項４に記載された発明によれば、請求項３に記載の発明と同様の効果を奏すると共に、携帯電話に振動モータを内蔵することができる。
【発明を実施するための最良の形態】
【００１６】
以下に、添付図面を参照して、本発明の第１実施の形態を詳細に説明する。図１(ａ)は給電端子と回路基板の給電部との圧接前のモータを表わす縦断面図、図１（ｂ）は給電端子と回路基板の給電部との圧接後のモータを表す縦断面図、図２（ａ）は給電端子と回路基板の給電部との圧接前における本実施の形態に係る給電端子を抜き出して表した縦断面図、図２（ｂ）は給電端子と回路基板の給電部との圧接後における本実施の形態に係る給電端子を抜き出して表した縦断面図、図３は給電端子と回路基板の給電部とが圧接した際の給電端子の接地部の変位と接触圧力との関係をグラフに表した図である。図４は回路基板側から見たモータの平面図、図５はモータ後端面の平面図である。図６は給電端子と回路基板の給電部との圧接前における本実施の形態に係る給電端子を抜き出して表した斜視図である。
【００１７】
本実施の形態に係るモータ１は、携帯電話の振動モータとして用いられるものである。モータ１は、回転軸８を有する回転子と、固定子を有するモータケース７と、回路基板３１の給電部３と接触して給電を受ける給電端子５とを備えている。モータ１は、回転軸８に分銅９を偏心固定しているものである。
【００１８】
固定子は、Ｎ、Ｓ極を持ったマグネット（永久磁石）からなるものであり、円筒形状の金属製モータケース７の内部に固定されたマグネットホルダーにより保持されている。モータケース７の内部には、コイルで形成された回転子が収容されている。回転子の中心には、軸受けで支持された回転軸８が固定され、回転軸８はモータケース７の前端から突出している。
【００１９】
モータケース７内には、回転軸８に整流子が固定され、整流子には一対のブラシが接触している。各ブラシには、給電端子５の取付け部１３が固定されている。回転軸８の先端部には略半円柱状の分銅９が偏心固定されている。回転軸８が回転し分銅９を振り回すことによって、モータケース自体を振動させることができる。モータケース７は、ゴムホルダ１１により覆われており、ゴムホルダ１１は、携帯電話にモータ１を組み込んだ際に、モータ１が携帯電話筐体と一体となって振動するように、モータケース７を保持する。このような分銅付きモータ１は、携帯電話等で着信時にその筐体を振動させる振動モータに用いられる。
【００２０】
モータ１には、ブラシと回路基板３１の給電部３との電気的な接続をする給電端子５が備られている。各給電端子５は、各ブラシに対応して備えられ、回路基板３１の給電部３からの所定の電圧をブラシに印加させるものである。給電端子５は、銅合金製の薄い板から形成され、給電端子５自体に弾性を持たせている。
【００２１】
以下、給電端子５の形状を詳細に説明する。図１及び図２に示すように、給電端子５は、取付け部１３と、第１部分１５と、第２部分１７と、第３部分２３と、第４部分２５とを備えている。
【００２２】
取付け部１３は、一端１０が各ブラシに溶接で固定されており、回転軸８に平行にモータ１後端まで直線状に延びている。
【００２３】
第１部分は、取付け部１３の他端１２から、モータ１後端に沿って、回路基板３１側に直線状に延びている。第１部分１５は、樹脂台３５にかしめられて固定されている。
【００２４】
第２部分１７は、第１部分１５の下端１６に連続して、回路基板３１側に湾曲状に突出している。第２部分１７は、第１部分１５よりも前側に位置し、湾曲の頂部１８を回路基板３１側に向けたへの字状に形成されている。第２部分１７の湾曲は、への字の２辺が挟む角を鈍角とするように形成されている。第３部分２３は、第２部分１７の前端１９に連続して、モータ１前端側に湾曲状に突出するＵ字部２４を、モータ１と回路基板３１の間に形成している。Ｕ字部２４は、折り返し部２０を頂部としたＵ字状に形成されている。第３部分２３は、折り返し部２０を境に上部３３と下部３４とに分かれる。Ｕ字部２４の上部３３は、樹脂台３５の下端３７に接触している。
【００２５】
第４部分２５は、第３部分２３の下部３４の後端２１に連続して、回路基板３１側に突出する湾曲部２６を有し、湾曲部２６の回路基板３１側の頂部に回路基板３１の給電部３と接触する接地部２７を有する。第４部分２５は、第３部分２３よりも後側に位置し、第３部分２３の下部３４に対して鈍角を成すように回路基板３１側に向いて、第３部分２３に連続している。
【００２６】
接地部２７は、図１及び図２に示すように、第４部分の湾曲部２６の回路基板３１側の頂部に対し、前側に偏って形成されている。接地部２７は、回路基板３１の給電部３との圧接前には、ゴムホルダ１１の下端１４よりも回路基板３１側に位置している。
【００２７】
次に、本実施の形態に係るモータの作用効果を説明する。本実施の形態によれば、図１（ａ）又は図２（ａ）に示すように、給電端子５の接地部２７と回路基板３１の給電部３が圧接した際に、第２部分１７の湾曲が開くように弾性変形し、第３部分２３のＵ字部２４は上部３３を樹脂台３５の下端３７に接したままモータ１前端方向に移動する一方、Ｕ字部２４の曲率中心３６を作用点とする回路基板３１に向かう回転モーメントは、第２部分１７の湾曲の頂点１８を支点とするものであり、従来の給電端子１５０と比べて小さいので、Ｕ字部２４が回路基板３１側に移動する距離は小さい。従って、回路基板３１の給電部３周辺の設計上、特別な配慮をしなくても、給電端子５が回路基板３１の給電部３以外の箇所と接触することがなく、回路基板３１のショート等を防ぐことがでる。なお、第３部分２３のＵ字部２４の曲率中心３６に生ずる回路基板３１に向かう回転モーメントＮは、Ｎ＝Ｔ（腕の長さ）×Ｆ（弾性力）であり、従来の給電端子の場合の回転モーメントＲは、Ｒ＝Ｓ（腕の長さ）×Ｆ（弾性力）である。Ｓ＞Ｔであるから、Ｒ＞Ｎである。
【００２８】
給電端子５の第２部分１７が湾曲しており弾性を有するので、給電端子５の接地部２７と回路基板３１の給電部が圧接した際に、第１部分の下端１６と第３部分２３のＵ字部２４の折り返し部２０に集中する応力を分散することができ、給電端子５の弾性の劣化を軽減することができる。
【００２９】
更に、図１（ｂ）又は図２（ｂ）に示すように、回路基板３１の給電部３と給電端子５の接地部２７が圧接した際に、第３部分２３のＵ字部２４の湾曲は閉じるように弾性変形し、また第２部分１７の湾曲の頂部１８と第４部分２５が圧接する。従って、第４部分２５は、第２部分１７から、接触部２８において、回路基板３１側に向けて、第２部分１７の湾曲が弾性により閉じようとする押圧力３０を受け、この押圧力３０と、第３部分２３のＵ字部２４の湾曲が弾性により開こうとする圧力３２との合成圧力３８で、給電端子５の接地部２７を回路基板３１の給電部３に圧接させることができ、接地部２７と給電部３の接触安定性を従来の給電端子１５０よりも高くすることが可能である。
【００３０】
図３は、本実施の形態において、給電端子５の接地部２７と回路基板３１の給電部３が圧接した際の、給電端子５の接地部２７の変位と接触圧力との関係を示したグラフである。図３に示すように、給電端子５の接地部２７が回路基板３１の給電部３と圧接して、接地部２７がモータ１側に１mm変位すると、従来の給電端子１５０を使用した場合に比べ、約２倍の接触圧力が得られた。給電端子５を５回変位させた場合の実験データＡ、Ｂ、Ｃ、Ｄ及びＥと、図１２に示す従来の給電端子１５０を５回変位させた場合の実験データａ、ｂ、ｃ、ｄ及びｅとを比較すると、給電端子５を使用した場合は、従来の給電端子１５０を使用した場合の約２倍の接触圧力をコンスタントに得られることが分かった。更に、給電端子５を５回変位させても、給電端子５を１回目に変位させたときと変わらない接触圧力を得ていることが分かった。
【００３１】
本実施の形態では、接地部２７が回路基板３１の給電部３と圧接する際に、第３部分２３と第４部分２５の境界を挟む湾曲が開くように弾性変形するので、接地部２７は後ろ側に動きつつ給電部と圧接するが、接地部２７は、第４部分２５の湾曲部２６の回路基板側３１の頂部の前側に偏って形成されているため、給電部３との圧接は確実に成される。
【００３２】
また、本実施の形態によれば、回転軸８に分銅９を偏心固定するモータ１自体が振動しても、回路基板の給電部と給電端子の接地部の接触安定性を高くすることができ、モータ１を携帯電話の振動モータとして用いることができる。
【００３３】
次に、他の実施の形態を説明するが、以下の説明において、上述した第１実施の形態と同一の作用効果を奏する部分には同一の符号を付することにより、その部分の詳細な説明を省略し、以下の説明では上述の第１実施の形態と異なる点を主に説明する。
【００３４】
図７（a）に示すように、第２実施の形態では、給電端子５の第２部分１７は、第１部分１５よりも後ろに、円弧状に湾曲して形成されている。第３部分２３は、第２部分１７の前端１９に連続して、Ｕ字部２４が、モータ１前端方向に、且つ、モータに近づくように突出して形成されている。尚、図９は、給電端子５と回路基板３１の圧接前における本実施の形態に係る給電端子５を抜き出して表した斜視図である。
【００３５】
図７（ｂ）又は図８（ｂ）に示すように、給電端子５の接地部２７と回路基板３１の給電部３が圧接すると、給電端子５は、第３部分２３のＵ字部２４の湾曲を閉じるように、且つ、第２部分１７の湾曲が第４部分２５の湾曲部２６を開くように圧接して、弾性変形する。従って、第４部分２５の湾曲部２６が弾性により閉じようとする押圧力４０と、Ｕ字部２４の湾曲が弾性により開こうとする圧力４２との、合成圧力４４で接地部２７を給電部３に圧接させることができる。更に、接地部２７が押圧力４０により回路基板３１の給電部３に直接的に押圧されているので、接地部２７と給電部３の接触安定性を第１実施の形態よりも高めることができる。
【００３６】
図８（a）に示すように、給電端子５の第３部分２３のＵ字部２４の曲率中心３６に生ずる回転モーメントＮ＝Ｖ（腕の長さ）×Ｆ（弾性力）により、第３部分２３は回路基板３１側に移動するが、給電端子５の第３部分２３のＵ字部２４は、モータ１の下端付近に形成されているので、回路基板３１に接触することはない。
【００３７】
尚、本発明は、前述した実施形態に限定されることなく、その要旨を逸脱しない範囲で種々変形して実施できることは言うまでもない。
【００３８】
上述の第１実施の形態において、第４部分２５は、第３部分２３の下部３４に対し、角度を成して連続しているが、これに限定されず、図１０に示すように、第４部分２５は、第３部分２３に対し、直線的に連続しても良い。尚、図１１は第１実施の形態の変形例に係る給電端子５と回路基板３１の給電部３との圧接前における本実施の形態に係る給電端子５を抜き出して表した斜視図である。
の斜視図である。
【図面の簡単な説明】
【００３９】
【図１】（ａ)第１実施の形態に係る給電端子と回路基板の給電部との圧接前のモータを表わす縦断面図である。（ｂ）第１実施の形態に係るは給電端子と回路基板の給電部との圧接後のモータを表す縦断面図である。
【図２】（ａ）給電端子と回路基板の給電部との圧接前における本実施の形態に係る給電端子を抜き出して表した縦断面図である。図２（ｂ）は給電端子と回路基板の給電部との圧接後における本実施の形態に係る給電端子を抜き出して表した縦断面である。
【図３】給電端子と回路基板の給電部とが圧接した際の、給電端子の接地部の変位と接触圧力との関係をグラフに表した図である。
【図４】回路基板側から見たモータの平面図である。
【図５】モータ後端面の平面図である。
【図６】給電端子と回路基板の給電部との圧接前における本実施の形態に係る給電端子を抜き出して表した斜視図である。
【図７】（ａ)第２実施の形態に係る給電端子と回路基板の給電部との圧接前のモータを表わす縦断面図である。（ｂ）第２実施の形態に係る給電端子と回路基板の給電部との圧接後のモータを表す縦断面図である。
【図８】（ａ）給電端子と回路基板の給電部との圧接前における第２実施の形態に係る給電端子を抜き出して表した縦断面図である。（ｂ）給電端子と回路基板の給電部との圧接後における第２実施の形態に係る給電端子を抜き出して表した縦断面である。
【図９】給電端子と回路基板の給電部との圧接前における第２実施の形態に係る給電端子を抜き出して表した斜視図である。
【図１０】（ａ)変形例に係る給電端子と回路基板の給電部との圧接前のモータを表わす縦断面図である。（ｂ）変形例に係る給電端子と回路基板の給電部との圧接後のモータを表す縦断面図である。
【図１１】給電端子と回路基板の給電部との圧接前における第１実施の形態の変形例に係る給電端子を抜き出して表した斜視図である。
【図１２】（ａ)従来の給電端子と回路基板の給電部との圧接前のモータを表わす縦断面図である。（ｂ）従来の給電端子と回路基板の給電部との圧接後のモータを表す縦断面図である。
【符号の説明】
【００４０】
１      モータ
３      回路基板の給電部
５      給電端子
８      回転軸
９      分銅
１５    第１部分
１７    第２部分
１８    第２部分の湾曲の頂部
２３    第３部分
２４    第３部分のＵ字部
２５    第４部分
２６    第４部分の湾曲部
２７    接地部
３１    回路基板
【図１】
0004355736.tif 000002
【図２】
0004355736.tif 000003
【図３】
0004355736.tif 000004
【図４】
0004355736.tif 000005
【図５】
0004355736.tif 000006
【図６】
0004355736.tif 000007
【図７】
0004355736.tif 000008
【図８】
0004355736.tif 000009
【図９】
0004355736.tif 000010
【図１０】
0004355736.tif 000011
【図１１】
0004355736.tif 000012
【図１２】
0004355736.tif 000013